(57)【要約】【課題】ポンプ詰まりや装置故障といった問題を解消できる循環式水洗トイレの濾過装置を提供する。【解決手段】便器内を洗浄した排水を再利用する循環式水洗トイレの入水槽２２と揚水槽２４との間に備え付けられる循環式水洗トイレの濾過装置１であって、枠体２と、枠体２の入水槽２２側に設けられた山切状のゲート３と、入水槽２２からゲート３を通過した越流を枠体２内で多段階式に濾過して、濾過された排水を揚水槽２４に流入させる濾過部５と、を具備する。【選択図】      図１
2004308301.tif 000002
【特許請求の範囲】
【請求項１】
便器内を洗浄した排水を再利用する循環式水洗トイレの入水槽と揚水槽との間に備え付けられる濾過装置であって、枠体と、該枠体の入水槽側に設けられた山切状のゲートと、前記入水槽から該ゲートを通過した越流を前記枠体内で多段階式に濾過して、濾過された排水を揚水槽に流入させる濾過部と、を具備することを特徴とする循環式水洗トイレの濾過装置。
【請求項２】
前記濾過部が、少なくとも２個の開孔部が穿設された基板と、該開孔部に嵌入された籠体と、該籠体上に配置された、メッシュ部および立上部を有するフィルターリッドと、を具備する請求項１記載の循環式水洗トイレの濾過装置。
【発明の詳細な説明】
【０００１】
【発明の属する技術分野】
本発明は、循環式水洗トイレの濾過装置に関し、特には、便器内を洗浄した排水内に含まれる廃棄物を多段階に効率よく濾過することができる循環式水洗トイレの濾過装置に関する。
【０００２】
【従来の技術】
従来より、便器内を洗浄した排水を再利用する循環式水洗トイレにおいては、便器内を洗浄した水を外部に排水させず、循環させながら再利用する。このため、水道水の量を節約することができると共に、下水道設備が不要となるという特長を有する。しかし一方で、使用中に循環水の処理能力が低下したり、使用回数が増えることにより水が汚れるといった問題があった。このような問題を解消するため、本出願人は先に、水洗式トイレの水を効率よく浄化させて循環させることにより、使用する水道水の量を大幅に節水すると共に、下水処理の負担を軽減することができる水洗式トイレの水循環装置を提案している（例えば、特許文献１参照）。
【０００３】
上掲特許文献１に開示の水洗式トイレの水循環装置は、便器より排出された排水を溜める下部槽と、該下部槽より汲み上げた排水をブロアポンプにより曝気させる曝気槽と、該曝気槽より送水された排水を溜めて清水と汚泥とに分離する第一分離槽と、該第一分離槽内に沈殿した汚泥を下水道に排出させるエアリフトポンプと、前記第一分離槽の上層部より送水された清水を溜めてさらに清水と汚泥とに分離する第二分離槽と、該第二分離槽内の汚泥を下水道に排出させるエアリフトポンプと、を具備するものである。そして、このような構成とすることにより使用する水道水の量を大幅に節水でき、下水処理の負担を軽減すると共に、循環水の処理能力を高めることで、衛生面においても優れた効果を奏するものである。
【０００４】
【特許文献１】
特開２００２−３３９４２９号公報（第２−３頁、第１図）
【０００５】
【発明が解決しようとする課題】
【０００６】
しかしながら、上掲特許文献１を含む多くの循環式の水洗トイレにおいては、利用者が市販のティッシュペーパーやたばこの吸い殻等を便器内に廃棄することが多い。かかる廃棄物は排水を溜める下部槽内に溜り、水分を含み膨張するため、ポンプが詰まったり装置が故障したりするという問題を生じた。そのため、下部槽内に溜った廃棄物は定期的に除去しなければならなかった。
【０００７】
そこで本発明の目的は、ポンプ詰まりや装置故障といった問題を解消できる循環式水洗トイレの濾過装置を提供することにある。
【０００８】
【課題を解決するための手段】
上記目的を達成するために、本発明の循環式水洗トイレの濾過装置は、便器内を洗浄した排水を再利用する循環式水洗トイレの入水槽と揚水槽との間に備え付けられる濾過装置であって、枠体と、該枠体の入水槽側に設けられた山切状のゲートと、前記入水槽から該ゲートを通過した越流を前記枠体内で多段階式に濾過して、濾過された排水を揚水槽に流入させる濾過部と、を具備することを特徴とするものである。これにより、便器から送り込まれた排水中のたばこの吸い殻等の廃棄物は、先ず、前記ゲートにて堰き止められ、次に、排水は前記濾過部で多段階的に効率よく濾過される。この結果、循環式水洗トイレシステムにおいて、ポンプ詰まりや装置故障といった問題を解消することができる。
【０００９】
また、前記濾過部を、少なくとも２個の開孔部が穿設された基板と、該開孔部に嵌入された籠体と、該籠体上に配置された、メッシュ部および立上部を有するフィルターリッドとから構成することにより、廃棄物で満たされた濾過部の取り替えを容易に行えるようになる。
【００１０】
【発明の実施の形態】
以下、本発明の循環式水洗トイレの濾過装置の一実施の形態を各図にて詳細に説明する。
【００１１】
本発明の濾過装置１は、便器内を洗浄した排水を再利用する循環式水洗トイレの入水槽と揚水槽との間に備え付けられ、便器を洗浄した排水内に含まれる廃棄物を多段階式に濾過することで、廃棄物によるパイプの目詰まりやポンプの故障を解消するものである。
【００１２】
先ず、図３および図７に基づいて、本発明の好適例である濾過装置１を設置することができる循環式水洗トイレ２０の詳細を説明する。なお、循環式水洗トイレ２０は図示するものに限定されるものではなく、便器内を洗浄した排水を再利用する循環式水洗トイレにおいて入水槽と揚水槽とを備えたタイプのものなら、他のタイプのものでも本発明の濾過装置を適用することができる。
【００１３】
図示する循環式水洗トイレ２０は、便器２１を洗浄した排水を溜める入水槽２２と、入水槽２２内の排水を空気と接触させ曝気する曝気崩壊器２３と、揚水槽２４とを備えている。曝気崩壊器２３は、ブロア３２からエアを吹き込むことにより曝気する。本発明の濾過装置１は、入水槽２２と揚水槽２４との間に備え付けられるが、図示する循環式水洗トイレ２０においては、入水槽２２内の曝気崩壊器２３と揚水槽２４との間に備え付けられ、排水は入水槽２２の曝気崩壊器２３から濾過装置１を介して揚水槽２４に流入する。
【００１４】
揚水槽２４から汲み上げた排水は、回転させて水と廃棄物を分離する回転分離槽２７と、回転分離槽２７にて浄化した排水をさらに浄化させる分離槽２８と、分離槽２８にて浄化された排水を溜め、便器２１へ送水する送水沈殿槽３０とに順次送水される。分離槽２８は、ブロア３３からエアを吹き込むことにより排水を浄化する。なお、回転分離槽２７、分離槽２８および送水沈殿槽３０内の上水は随時入水槽２２へ、また底部に溜った排水は手動でバルブ３４を開けることで貯溜槽３１へ送水することができる。貯留槽３１に溜った排水は、循環式水洗トイレ２０にて再利用することなく、適宜廃棄することができる。また、図示はしないが、循環式水洗トイレ２０には、必要に応じて外部から水を補給することができる。
【００１５】
循環式水洗トイレ２０の入水槽２２と揚水槽２４との間に装着された本発明の濾過装置１は、図１および図２に示すように、枠体２と、該枠体２の上部であって、入水槽２２側に設けられた山切状のゲート３と、枠体２の上方に多段階状に設けられた濾過部５とを有する。
【００１６】
図示する枠体２は長尺状に形成されており、例えば、防錆性を有するステンレス等の素材で構成されている。前記枠体２に設けられたゲート３は、複数の凹凸を有する山形状に形成されると共に、枠体２の他の側面上部より若干低く形成されている。これにより、廃棄物ａを含む排水Ａが便器２１から送り込まれた際には（図６参照）、大形の廃棄物は予めゲート３の凸部分にて堰き止められることになる。なお、前記枠体２の一側面には、内部の排水Ａを揚水槽２４へ送り込む開口部４が形成されている（図２（ｂ）参照）。
【００１７】
また枠体２の上方には、濾過部５が多段階状（図示する好適例では３段階状）に設けられている。濾過部５は、図１に示すように、開孔部６が穿設された基板７と、開孔部６に嵌入される保持板９を有する籠体８と、籠体８上に配置される、メッシュ部１１および立上部１２を有するフィルターリッド１０とで構成されている。各フィルターリッド１０の立上部１２は一列に配列され、排水の流路を形成する。
【００１８】
濾過部５は、夫々適宜高さで枠体２の上部に多段階（図中三段）に設置されるため、図４および図５に示すように、ゲート３からの越流で廃棄物ａを含んだ排水Ａは、先ず、上部の立上部１２´、１２″に沿って下部に形成された第一濾過部５に集まる。第一濾過部５に集まった排水Ａ内の大形の廃棄物ａはフィルターリッド１０のメッシュ部１１にて堰き止められ、小形の廃棄物ａ´を含んだ排水が籠体８内に流入される。この際、小形の廃棄物ａ´は籠体８にて保持され、排水Ａは枠体２の下部へ送り込まれて開口部４より揚水槽２４へと流れていく。
【００１９】
また、第一濾過部５のメッシュ部１１が大形の廃棄物ａにて塞がれ排水が溢れ出した場合、図６に示すように、排水が上昇して第二濾過部５´へと流れ込んで行き、排水内の廃棄物ａが第二濾過部５´にて濾過される。さらに、第二濾過部５´が廃棄物にて塞がれ排水が溢れ出した場合、排水が上昇して第三濾過部５″へと流れ込ていく。本発明においては、このように排水を多段階式に濾過することが可能となり、濾過効率が上昇して、循環式水洗トイレ２０における廃棄物によるパイプの目詰まりやポンプの故障を解消することができる。なお、前記濾過部５は図中三段状に形成されているが、これに限らず、排水の汚れ具合に応じて適宜段数を変更することが好ましい。
【００２０】
また、前記濾過部５を上述の構成とすることで、各濾過部５、５´、５″が廃棄物ａにて塞がれた場合、フィルターリッド１０と籠体８を基板７から取り外し、予め用意したフィルターリッド１０と籠体８を基板７に装着させるだけで容易に濾過部５の入れ替えができ、作業効率を高めることが可能となる。
【００２１】
本発明の濾過装置１を具備した循環式水洗トイレ２０の一連の濾過方法を図７にて説明する。
【００２２】
送水沈殿槽３０から送り込まれた浄化水にて便器２１内が洗浄され、便器２１を洗浄した排水Ａは入水槽２２へ送られる。入水槽２２内の排水Ａは、ブロア３２から送風されるエアと接触されて曝気崩壊器２３にて曝気する。
【００２３】
曝気された排水Ａは、ゲート３より濾過装置１内に流入され、廃棄物ａを含む排水Ａが多段階式に濾過される。濾過された排水Ａは、揚水槽２４のボールフートバルブ２５にてマグネットポンプ２６を介在させて回転分離槽２７へ汲み上げられる。次いで、回転分離槽２７にて廃棄物と分離された水は分離槽２８内へ送られ、ブロア３３から送風されたエアによりプロテインフィルター２９にて浄化される。
【００２４】
さらに、分離槽２８にて浄化された水は送水沈殿槽３０へ送り込まれ、送水沈殿槽３０の浄化水が便器２１の洗浄に再利用されることになる。
【００２５】
【発明の効果】
以上説明してきたように、本発明の循環式水洗トイレの濾過装置によれば、便器から送り込まれた排水を多段階に効率よく濾過することができる。これにより、循環式水洗トイレにおけるポンプ詰まりや装置故障という問題を解消することができる。また、廃棄物で満たされた濾過部の籠体およびフィルターリッドの取り替えが容易である。
【図面の簡単な説明】
【図１】本発明の循環式水洗トイレの濾過装置の一部を欠切した分解斜視図である。
【図２】（ａ）は一側面からの濾過装置の斜視図である。
（ｂ）は他の側面からの濾過装置の斜視図である。
【図３】前記濾過装置を具備した循環式水洗トイレの全体斜視図である。
【図４】本発明の濾過装置の濾過状態を示す側面断面図である。
【図５】前記濾過装置の平面図である。
【図６】多段階式に濾過する状態を示す側面断面図である。
【図７】循環式水洗トイレの一連の濾過状態を示す断面図である。
【符号の説明】
１  濾過装置
２  枠体
３  ゲート
４  開口部
５  濾過部
６  開孔部
７  基板
８  籠体
９  保持板
１０  フィルターリッド
１１  メッシュ部
１２  立上部
２０  循環式水洗トイレ
２１  便器
２２  入水槽
２３  曝気崩壊器
２４  揚水槽
２５  ボールフートバルブ
２６  マグネットポンプ
２７  回転分離槽
２８  分離槽
２９  プロテインフィルター
３０  送水沈殿槽
３１  貯溜槽
３２  ブロア
３３  ブロア
３４  バルブ
Ａ  排水
ａ  廃棄物
【図１】
2004308301.tif 000003
【図２】
2004308301.tif 000004
【図３】
2004308301.tif 000005
【図４】
2004308301.tif 000006
【図５】
2004308301.tif 000007
【図６】
2004308301.tif 000008
【図７】
2004308301.tif 000009